(57)【特許請求の範囲】
【請求項１】
挿入方向に沿って挿入された排出対象物を前記挿入方向の反対方向である排出方向に沿って排出可能なコネクタであって、前記排出対象物が挿入された挿入状態において前記排出対象物を収容する収容部と、イジェクトバーと、前記イジェクトバーによって操作されるイジェクトレバーと、ロック部と、ストッパとを備えており、
前記ロック部は、前記挿入方向と直交する幅方向に移動可能であり、且つ、前記イジェクトバーの前記挿入方向に沿った移動に伴って、前記挿入方向に沿ってロック位置からアンロック位置まで移動するものであり、
前記ストッパは、前記ロック部が前記ロック位置に位置しているときには前記幅方向において前記ロック部と対向している一方、前記ロック部が前記アンロック位置に位置しているときには前記挿入方向において前記ロック部よりも手前側に位置しており、
前記挿入状態において、前記ロック部は、前記排出対象物の排出防止部よりも前記挿入方向における手前側に位置しており、前記排出対象物を前記排出方向に移動させると、前記排出防止部と当接した前記ロック部が前記幅方向に移動して前記ロック部と前記排出防止部との前記当接を維持したまま前記ストッパと係止し、これによって前記排出対象物の排出が防止される一方、
前記挿入状態において、前記イジェクトバーを前記挿入方向に沿って移動させると、前記ロック部が前記アンロック位置に移動すると共に、前記イジェクトレバーが前記排出対象物を前記排出方向に押圧して移動させ、前記排出防止部と当接した前記ロック部が前記ストッパと係止することなく前記幅方向に移動し、これによって前記排出対象物が排出される
コネクタ。
【請求項２】
請求項１記載のコネクタであって、
前記ロック部は、前記イジェクトバーと一体に形成されている
コネクタ。
【請求項３】
請求項１又は請求項２記載のコネクタであって、
前記イジェクトバーを前記挿入方向に沿って移動可能となるようにガイドするガイド部を更に備えている
コネクタ。
【請求項４】
請求項３記載のコネクタであって、
前記ロック部が前記アンロック位置に位置しているとき前記イジェクトバーの前記排出方向への移動を妨げるように前記イジェクトバーを保持し、これによって前記ロック部を前記アンロック位置に維持する仮保持部を更に備えている
コネクタ。
【請求項５】
請求項１乃至請求項４のいずれかに記載のコネクタであって、
カバーを更に備えており、
前記ストッパは前記カバーに形成されている
コネクタ。
【請求項６】
請求項１乃至請求項５のいずれかに記載のコネクタであって、
前記排出対象物の前記幅方向における側部には前記幅方向に凹んだ凹部が形成されており、前記排出防止部は前記凹部の前記挿入方向における奥側の壁であり、前記ロック部が前記ロック位置に位置しているとき、前記ロック部の少なくとも一部は前記凹部の内側に位置している
コネクタ。
【請求項７】
請求項１乃至請求項６のいずれかに記載のコネクタであって、
前記挿入状態において前記ロック部が前記ロック位置に位置しているとき、前記挿入方向における前記排出防止部と前記ロック部との間の距離は、前記挿入方向における前記ストッパと前記ロック部との間の距離の２倍以上である
コネクタ。
【請求項８】
請求項１乃至請求項７のいずれかに記載のコネクタであって、
前記イジェクトレバーは、支点部と力点部と作用点部とを有しており、前記力点部は前記支点部を回動軸として前記挿入方向に沿って移動可能であり、前記作用点部は前記力点部の前記挿入方向に沿った移動に伴って前記挿入方向において前記収容部よりも奥側の収容位置から前記収容部の内部の排出位置まで移動可能であり、
前記イジェクトバーは、被押圧部と動作部とを有しており、前記被押圧部を押圧することにより前記挿入方向に沿って移動可能であり、前記挿入方向に沿って移動したときに前記動作部が前記力点部を前記挿入方向に押圧するように配置されており、
前記ロック部は、前記作用点部が前記収容位置に位置しているときに前記ロック位置に位置する一方、前記作用点部が前記排出位置に位置しているときに前記アンロック位置に位置している
コネクタ。
【請求項９】
請求項８記載のコネクタであって、
前記イジェクトバーは、前記被押圧部の前記幅方向における一方の端部から前記挿入方向に沿って延びる本体部を備えており、前記動作部は前記本体部に設けられている
コネクタ。
【請求項１０】
請求項９記載のコネクタであって、
前記イジェクトバーには変形防止部が設けられており、前記変形防止部は、前記被押圧部の前記幅方向における中間部分から前記挿入方向に突出しており、且つ、前記幅方向において前記本体部に向かって延びており、前記被押圧部が過度に押圧された際に前記変形防止部と前記本体部とが当接することで前記イジェクトバーの変形を防止する
コネクタ。
【請求項１１】
請求項１乃至請求項１０のいずれかに記載のコネクタであって、
前記排出対象物はカードを搭載可能なトレイである
コネクタ。
【発明の詳細な説明】
【技術分野】
【０００１】
本発明は、ＳＩＭ（Subscriber Identity Module）カードのようなカードと接続するコネクタに関する。
【背景技術】
【０００２】
このタイプのコネクタは、一般的に、カードやカードを収容したトレイ（排出対象物）をコネクタからイジェクト（排出）するためのイジェクト機構を備えている。例えば、特許文献１に開示されたコネクタは、移動部とカムフォロワとコイルバネとを備えたイジェクト機構と、受止部とを有しており、移動部にはハートカムとロック部と当接部とが設けられている（図２０参照）。カードがコネクタに挿入されると、移動部はカードと共に移動してホールド位置（図２０の位置）に保持される。移動部がホールド位置に保持されているとき、ロック部と受止部との係止によってカードの無理な引き抜きが防止される。一方、カードを押しこむことで移動部の保持が解除され、コイルバネによって付勢された移動部によってカードが排出される。
【０００３】
上述したイジェクト機構の他に、所謂プッシュイジェクトタイプのイジェクト機構も利用されている。例えば、特許文献２の電子機器は、コネクタと、プッシュイジェクトタイプのイジェクト機構とを備えている（図２１参照）。電子機器及びトレイには孔が形成されており、コネクタに挿入されたトレイは、孔を通したピンでイジェクト機構の一部を押すことによって排出される。更に、特許文献３に開示された電子機器は、特許文献２と同様のイジェクト機構に加えて、バネ力によってトレイを保持する保持部材を備えている（図２２参照）。
【先行技術文献】
【特許文献】
【０００４】
【特許文献１】特開２０１０−１２９３０７号公報
【特許文献２】米国特許出願公開第２００９／２６７６７７号明細書
【特許文献３】米国特許出願公開第２００８／１６５５０８号明細書
【発明の概要】
【発明が解決しようとする課題】
【０００５】
特許文献１に開示されているようなイジェクト機構を構成するためには比較的多数の部材を必要とする。一方、特許文献２及び特許文献３に開示されているプッシュイジェクトタイプのイジェクト機構は比較的少数の部材から構成可能ではあるが、イジェクト機構がコネクタではなく電子機器自体に設けられている。また、特許文献２の電子機器は、挿入されたトレイを摩擦力のみによって保持している。従って、電子機器が落下した際にトレイが衝撃によって外れ易い。特許文献３の電子機器は、保持部材がトレイに設けられた切り込みに係止することでトレイが保持される。従って保持部材のバネを強くした場合、トレイを強固に保持することができるが、トレイを排出する際に大きな力でピンを押す必要がある。一方、保持部材のバネを弱くした場合、トレイが衝撃によって外れ易くなる。
【０００６】
そこで、本発明は、比較的少数の部材から構成されたイジェクト機構を備えたコネクタであって、排出対象物をより確実に保持できると共に比較的小さな力で排出することが可能なコネクタを提供することを目的とする。
【課題を解決するための手段】
【０００７】
本発明は、第１のコネクタとして、
挿入方向に沿って挿入された排出対象物を前記挿入方向の反対方向である排出方向に沿って排出可能なコネクタであって、前記排出対象物が挿入された挿入状態において前記排出対象物を収容する収容部と、イジェクトバーと、前記イジェクトバーによって操作されるイジェクトレバーと、ロック部と、ストッパとを備えており、
前記ロック部は、前記挿入方向と直交する幅方向に移動可能であり、且つ、前記イジェクトバーの前記挿入方向に沿った移動に伴って、前記挿入方向に沿ってロック位置からアンロック位置まで移動するものであり、
前記ストッパは、前記ロック部が前記ロック位置に位置しているときには前記幅方向において前記ロック部と対向している一方、前記ロック部が前記アンロック位置に位置しているときには前記挿入方向において前記ロック部よりも手前側に位置しており、
前記挿入状態において、前記ロック部は、前記排出対象物の排出防止部よりも前記挿入方向における手前側に位置しており、前記排出対象物を前記排出方向に移動させると、前記排出防止部と当接した前記ロック部が前記幅方向に移動して前記ロック部と前記排出防止部との前記当接を維持したまま前記ストッパと係止し、これによって前記排出対象物の排出が防止される一方、
前記挿入状態において、前記イジェクトバーを前記挿入方向に沿って移動させると、前記ロック部が前記アンロック位置に移動すると共に、前記イジェクトレバーが前記排出対象物を前記排出方向に押圧して移動させ、前記排出防止部と当接した前記ロック部が前記ストッパと係止することなく前記幅方向に移動し、これによって前記排出対象物が排出される
コネクタを提供する。
【０００８】
本発明は、第２のコネクタとして、第１のコネクタであって、
前記ロック部は、前記イジェクトバーと一体に形成されている
コネクタを提供する。
【０００９】
本発明は、第３のコネクタとして、第２のコネクタであって、
前記イジェクトバーを前記挿入方向に沿って移動可能となるようにガイドするガイド部を更に備えている
コネクタを提供する。
【００１０】
本発明は、第４のコネクタとして、第３のコネクタであって、
前記ロック部が前記アンロック位置に位置しているとき前記イジェクトバーの前記排出方向への移動を妨げるように前記イジェクトバーを保持し、これによって前記ロック部を前記アンロック位置に維持する仮保持部を更に備えている
コネクタを提供する。
【００１１】
本発明は、第５のコネクタとして、第１乃至第４のいずれかのコネクタであって、
カバーを更に備えており、
前記ストッパは前記カバーに形成されている
コネクタを提供する。
【００１２】
本発明は、第６のコネクタとして、第１乃至第５のいずれかのコネクタであって、
前記排出対象物の前記幅方向における側部には前記幅方向に凹んだ凹部が形成されており、前記排出防止部は前記凹部の前記挿入方向における奥側の壁であり、前記ロック部が前記ロック位置に位置しているとき、前記ロック部の少なくとも一部は前記凹部の内側に位置している
コネクタを提供する。
【００１３】
本発明は、第７のコネクタとして、第１乃至第６のいずれかのコネクタであって、
前記挿入状態において前記ロック部が前記ロック位置に位置しているとき、前記挿入方向における前記排出防止部と前記ロック部との間の距離は、前記挿入方向における前記ストッパと前記ロック部との間の距離の２倍以上である
コネクタを提供する。
【００１４】
本発明は、第８のコネクタとして、第１乃至第７のいずれかのコネクタであって、
前記イジェクトレバーは、支点部と力点部と作用点部とを有しており、前記力点部は前記支点部を回動軸として前記挿入方向に沿って移動可能であり、前記作用点部は前記力点部の前記挿入方向に沿った移動に伴って前記挿入方向において前記収容部よりも奥側の収容位置から前記収容部の内部の排出位置まで移動可能であり、
前記イジェクトバーは、被押圧部と動作部とを有しており、前記被押圧部を押圧することにより前記挿入方向に沿って移動可能であり、前記挿入方向に沿って移動したときに前記動作部が前記力点部を前記挿入方向に押圧するように配置されており、
前記ロック部は、前記作用点部が前記収容位置に位置しているときに前記ロック位置に位置する一方、前記作用点部が前記排出位置に位置しているときに前記アンロック位置に位置している
コネクタを提供する。
【００１５】
本発明は、第９のコネクタとして、第８のコネクタであって、
前記イジェクトバーは、前記被押圧部の前記幅方向における一方の端部から前記挿入方向に沿って延びる本体部を備えており、前記動作部は前記本体部に設けられている
コネクタを提供する。
【００１６】
本発明は、第１０のコネクタとして、第９のコネクタであって、
前記イジェクトバーには変形防止部が設けられており、前記変形防止部は、前記被押圧部の前記幅方向における中間部分から前記挿入方向に突出しており、且つ、前記幅方向において前記本体部に向かって延びており、前記被押圧部が過度に押圧された際に前記変形防止部と前記本体部とが当接することで前記イジェクトバーの変形を防止する
コネクタを提供する。
【００１７】
本発明は、第１１のコネクタとして、第１乃至第１０のいずれかのコネクタであって、
前記排出対象物はカードを搭載可能なトレイである
コネクタを提供する。
【発明の効果】
【００１８】
本発明によれば、イジェクトレバーとイジェクトバーとによって排出対象物を排出することとしたので、比較的少数の部材によって、大きなスペースを要することなくイジェクト機構を構成することができる。
【００１９】
また、コネクタに挿入された排出対象物が排出方向に移動すると、ロック部が排出対象物の排出防止部との当接を維持したままストッパと係止するので、排出対象物をより確実に保持することができる。一方、イジェクトバーを挿入方向に沿って移動させると、イジェクトレバーが排出対象物を排出方向に押圧して移動させると共に、排出防止部と当接したロック部がストッパと係止することなく幅方向に移動し、これによって排出対象物が排出される。従って、イジェクトバーを挿入方向に押圧するという一つの操作によって、比較的小さな力で排出対象物を排出することができる。
【図面の簡単な説明】
【００２０】
【図１】本発明の実施の形態によるコネクタを示す斜視図である。
【図２】図１のコネクタをトレイが挿入された状態で示す斜視図である。
【図３】図１のコネクタを示す分解斜視図である。
【図４】図１のコネクタに挿入されるトレイと、トレイに搭載されるカードとを示す斜視図である。なお、カード裏面の電極部を破線で表示している。
【図５】図１のコネクタを、カバーを外して示す斜視図である。
【図６】図１のコネクタのハウジングを示す上面図である。
【図７】図６のハウジングを示す側面図である。
【図８】図１のコネクタのイジェクトレバーを示す上面図である。
【図９】図１のコネクタのイジェクトバーを示す上面図である。
【図１０】図９のイジェクトバーを示す側面図である。
【図１１】図１のコネクタのカバーを示す斜視図である。
【図１２】図１のコネクタをトレイが挿入された状態で示す平面図である。なお、カバーはストッパ近傍のみを表示している。また、排出位置に移動した際のイジェクトレバーと、イジェクトバーの動作部及びロック部とを破線で表示している。
【図１３】図１２のコネクタのイジェクトバーの動作部近傍（破線Ａの部分）を示す部分拡大斜視図である。なおカバーは表示していない。
【図１４】図１２のコネクタのイジェクトバーのロック部近傍（破線Ｂの部分）を示す部分拡大平面図である。なお、カバーはストッパ近傍のみを表示している。
【図１５】図１２のコネクタのイジェクトバーのロック部近傍（破線Ｂの部分）を示す部分拡大側面図である。
【図１６】図１のコネクタをトレイが排出方向に引かれた状態で示す平面図である。なお、カバーはストッパ近傍のみを表示している。
【図１７】図１のコネクタをイジェクトバーが挿入方向に移動した状態で示す平面図である。なお、カバーはストッパ近傍のみを表示している。
【図１８】図１２のコネクタのイジェクトバーの動作部近傍（破線Ａの部分）をイジェクトバーが挿入方向に移動した状態で示す部分拡大斜視図である。なおカバーは表示していない。
【図１９】図１６のコネクタのイジェクトバーのロック部近傍（破線Ｃの部分）を示す部分拡大斜視図である。
【図２０】従来のイジェクト機構の一例を示す上面図である。
【図２１】従来のイジェクト機構の別の一例を示す模式図である。
【図２２】従来のイジェクト機構の更に別の一例を示す断面図である。
【発明を実施するための形態】
【００２１】
図１及び図３に示されるように、本実施の形態によるコネクタ１０は、例えば携帯電話（図示せず）に組み込まれるものであり、ハウジング１００と、金属製のイジェクトレバー２００と、金属製のイジェクトバー３００と、金属製のカバー４００とを備えている。コネクタ１０は、Ｙ方向（挿入・排出方向）における両端に前端１０ｆと後端１０ｒとを有しており、Ｚ方向（上下方向）におけるハウジング１００とカバー４００との間に収容部１２を備えている。コネクタ１０の前端１０ｆには、収容部１２に連通する開口１４が形成されている。
【００２２】
図１、図２及び図４から理解されるように、コネクタ１０には、＋Ｙ方向（挿入方向）に沿ってトレイ（排出対象物）８００を挿入することができる。トレイ８００は、コネクタ１０に挿入された挿入状態において収容部１２に収容される。挿入状態にあるトレイ８００は、円柱形状のピン７００を使用しイジェクトバー３００を押圧することによって−Ｙ方向（排出方向）に沿って排出することができる。
【００２３】
図４に示されるように、本実施の形態によるトレイ８００は、Ｘ方向（幅方向）に長手を有する平板状の前壁８１０と、前壁８１０から＋Ｙ方向に延びるカード保持部８２０と、前壁８１０の＋Ｘ側の端部に形成されて＋Ｙ方向に延びる筒部８１２とを備えている。トレイ８００には、前壁８１０と筒部８１２とをＹ方向に貫通するガイド孔８１４が形成されている。ガイド孔８１４は、ピン７００を通すことが可能な内径を有している。トレイ８００の＋Ｘ側の側部には、−Ｘ方向に凹んだ凹部８２２が形成されている。凹部８２２の＋Ｙ方向における奥側には、Ｙ方向と直交する平面状の壁（排出防止部）８２３が形成されている。壁８２３は、Ｙ方向において前壁８１０側を向いている。換言すれば、Ｙ方向において、凹部８２２は、ガイド孔８１４と壁８２３との間に位置している。
【００２４】
図４から理解されるように、カード保持部８２０の−Ｚ側（下側）には、カード９００（例えばＳＩＭカード）が搭載・保持される。本実施の形態によるカード９００は、下面に形成された６つの電極部９１０を有している。
【００２５】
図３、図６及び図７に示されるように、本実施の形態によるハウジング１００は、Ｘ方向及びＹ方向の双方に延びており、Ｙ方向における両端に前端１００ｆと後端１００ｒとを有している。ハウジング１００は、カバー４００よりも柔らかい金属（例えば燐青銅）からなる部材を絶縁樹脂にインサートモールドして得られるものである。詳しくは、ハウジング１００は、絶縁樹脂からなる底板部１０２と、金属製の６つのコンタクト１１０と、金属製の第１側板１２０と、金属製の第２側板１３０と、金属製の第１スイッチ１３８と、金属製の第２スイッチ１４０とを備えている。
【００２６】
底板部１０２の後端１００ｒ側には、＋Ｚ方向（上方）に突出した後壁１０４が形成されている。後壁１０４は、Ｘ方向に長く延びた略角柱形状を有しており、Ｘ方向における中間部分には、上方に突出した円柱状の軸部１０６が設けられている。軸部１０６の上面には、−Ｚ方向（下方）に凹んだ係合凹部１０７が形成されている。後壁１０４の−Ｘ側の端部付近は下方に窪んでおり、Ｙ方向に延びる窪み１０８が形成されている。窪み１０８は、前端１００ｆ側において収容部１２と連通しており、後端１００ｒ側において後壁１０４の一部によって塞がれている。
【００２７】
図２、図４及び図５から理解されるように、６つのコンタクト１１０は、カード９００を搭載したトレイ８００が挿入状態にあるとき、カード９００の６つの電極部９１０と夫々接触する位置に配置されている。即ち、トレイ８００が挿入状態にあるとき、コネクタ１０とカード９００とは、電気的に互いに接続される。
【００２８】
図３及び図６に示されるように、第１側板１２０は、底板部１０２の−Ｘ側の端部に位置している。一方、第２側板１３０は、底板部１０２の＋Ｘ側の端部に位置している。第１側板１２０と第２側板１３０とのＸ方向における端部は、折り曲げられて上方に延びており、これによりハウジング１００のＸ方向における両側面が形成されている。
【００２９】
第２側板１３０には、２つのガイド部１３２と、第１仮保持部（仮保持部）１３４と、第１規制部１３６とが形成されている。ガイド部１３２は、第２側板１３０の一部を切欠き、Ｙ方向に平行に延びるように曲げ加工することによって形成されている。２つのガイド部１３２は、Ｘ方向において同じ位置に配置されている。ガイド部１３２は、ハウジング１００の＋Ｘ側の側面と平行に延びており、ガイド部１３２とハウジング１００の＋Ｘ側の側面との間には、Ｙ方向に延びるガイド溝１３３が形成されている。第１仮保持部１３４は、ガイド溝１３３の一部を塞ぐようにして、ハウジング１００の＋Ｘ側の側面から−Ｘ方向に突出している。第１規制部１３６は、第２側板１３０の一部を切欠き、Ｙ方向に直交する平面上を延びるように曲げ加工することによって形成されている。
【００３０】
図３、図６及び図７に示されるように、第１スイッチ１３８は、固定部１３８ｓと可動部１３８ｍとから構成されている。固定部１３８ｓ及び可動部１３８ｍは、底板部１０２の＋Ｘ側の端部に配置されており、Ｚ方向と平行な面状に形成されている。可動部１３８ｍは、底板部１０２の前端１００ｆ付近から−Ｙ方向（前方）に延びた後、ハウジング１００の外側に向かって突出した突出部を形成しつつ＋Ｙ方向（後方）に延びている。固定部１３８ｓは、可動部１３８ｍよりも後端１００ｒに近い位置から、ハウジング１００の外側に向かうようにして前方に延びている。可動部１３８ｍの先端は、Ｘ方向において固定部１３８ｓの外側に位置しており、−Ｘ方向に沿って見たとき、可動部１３８ｍの先端は、固定部１３８ｓの先端部分と重なっている（図７参照）。
【００３１】
第２スイッチ１４０は、底板部１０２の−Ｘ側の端部に配置されており、Ｘ方向と平行な面状に形成されている。第２スイッチ１４０は、後端１００ｒ付近から前方に延びる第１の部位と、第１の部位よりも前端１００ｆに近い位置から後方に延びる第２の部位とから構成されている。−Ｚ方向に沿って見たとき、第１の部位の先端は、第２の部位と重なっており、且つ接触している。
【００３２】
図３及び図５に示されるように、本実施の形態によるイジェクトレバー２００は、ハウジング１００の後壁１０４上に取り付けられるものであり、概ねＸ方向に延びる平板状に形成されている。詳しくは、イジェクトレバー２００は、Ｘ方向に延びる第１腕部２０４と、ＸＹ平面において第１腕部２０４と鈍角に交差するようにして延びる第２腕部２０６とを備えている。
【００３３】
図３、図５及び図８に示されるように、第１腕部２０４の＋Ｘ側の端部近傍には、イジェクトレバー２００をＺ方向に貫通する円形の軸受孔（支点部）２０２が形成されている。支点部２０２は、Ｘ方向においてイジェクトレバー２００の中央付近に位置している。支点部２０２は、ハウジング１００の軸部１０６と嵌合し、これによってイジェクトレバー２００はハウジング１００に回動自在に取り付けられる。第１腕部２０４の−Ｘ側の端部は下方に折り曲げられており、押圧部２０８が形成されている。押圧部２０８は、平面状の作用点部２０９を有している。支点部２０２と作用点部２０９との間には、上方に突出した第２仮保持部（仮保持部）２１２が形成されている。
【００３４】
第１腕部２０４と第２腕部２０６との間には段差が設けられており、第２腕部２０６は、Ｚ方向において第１腕部２０４よりも高い位置を延びている。第２腕部２０６のＸ側の端部は下方に折り曲げられており、折り曲げられた部分の先端には、ＸＹ平面と平行な平板状の被操作部２１０が形成されている。被操作部２１０は、平面状の力点部２１１を有している。
【００３５】
図５及び図１２から理解されるように、トレイ８００の挿入状態において、押圧部２０８は、ハウジング１００の窪み１０８内に収容されており、作用点部２０９は、Ｙ方向においてトレイ８００に面している。換言すれば、トレイ８００の挿入状態において、作用点部２０９は、＋Ｙ方向において収容部１２よりも奥側の位置（収容位置）に位置している。作用点部２０９が収容位置にあるとき、力点部２１１は、Ｙ方向において作用点部２０９よりもハウジング１００の前端１００ｆ（即ち、コネクタ１０の前端１０ｆ）に近い位置に位置している。
【００３６】
ハウジング１００に取り付けられたイジェクトレバー２００は、支点部２０２を中心に回動可能である。詳しくは、力点部２１１は、支点部２０２を回動軸として＋Ｙ方向に沿って移動可能であり、作用点部２０９は、力点部２１１の＋Ｙ方向に沿った移動に伴って、収容位置から収容部１２の内部の排出位置（図１２において破線で示された位置）まで移動可能である。本実施の形態においては、支点部２０２と力点部２１１との間の距離は、支点部２０２と作用点部２０９との間の距離と実質的に同一である。従って、力点部２１１の＋Ｙ方向に沿った移動距離と、作用点部２０９の−Ｙ方向に沿った移動距離は略同一である。
【００３７】
図３及び図５に示されるように、本実施の形態によるイジェクトバー３００は、ハウジング１００及びイジェクトレバー２００の上方から、ハウジング１００の＋Ｘ側の側部に取り付けられている。イジェクトバー３００は、概ねＹ方向に延びる棒状に形成されており、本体部３０２と、バネ部３０６と、ロック部３０８と、覆い部３１６とを備えている。
【００３８】
本体部３０２は、ハウジング１００のガイド溝１３３を通過するようにしてＹ方向に延びている。より具体的には、本体部３０２は、Ｘ方向において、ハウジング１００の＋Ｘ側の側面とガイド部１３２とに挟まれており、これによってＹ方向における移動が許容される一方、Ｘ方向における移動が規制されている。換言すれば、ガイド部１３２は、イジェクトバー３００をＹ方向に沿って移動可能となるようにガイドしている。
【００３９】
図３、図９及び図１０に示されるように、本体部３０２の−Ｙ側の端部は、ハウジング１００の外側に向かって折り曲げられており、Ｙ方向と直交する平板状の被押圧部３１４が形成されている。一方、＋Ｙ側の端部は、第１仮保持部１３４の手前でハウジング１００の内側に向かって折り曲げられており、先端に動作部３１２が形成されている。換言すれば、イジェクトバー３００は、被押圧部３１４のＸ方向における一方の端部から＋Ｙ方向に沿って延びる本体部３０２を備えており、本体部３０２には動作部３１２が設けられている。
【００４０】
図２及び図５から理解されるように、イジェクトバー３００は、被押圧部３１４をピン７００で押圧することにより＋Ｙ方向に沿って移動させることができる。
【００４１】
図３、図１０及び図１３に示されるように、動作部３１２は、鉤状に形成されており、Ｙ方向に対向する第１押圧面３１２ａと第２押圧面３１２ｂとを有している。イジェクトバー３００がハウジング１００に取り付けられる際、動作部３１２は、被操作部２１０を挟むようにしてイジェクトレバー２００と連結される。本実施の形態においては、イジェクトバー３００がイジェクトレバー２００と連結された状態において、第１押圧面３１２ａと力点部２１１とは、Ｙ方向において接触している。しかしながら、第１押圧面３１２ａと力点部２１１とは、Ｙ方向において多少の間隙をあけて対向していてもよい。即ち、イジェクトバー３００は、＋Ｙ方向に沿って移動したときに動作部３１２が力点部２１１を＋Ｙ方向に押圧するように配置されていればよい。但し、第１押圧面３１２ａと力点部２１１との間に間隙をあけた場合、イジェクトバー３００のＹ方向における位置が不安定になるおそれがある。従って、本実施の形態のように構成する方が好ましい。
【００４２】
図３、図５、図９及び図１０に示されるように、本実施の形態によるロック部３０８は、イジェクトバー３００と一体に形成されている。より具体的には、バネ部３０６は、動作部３１２の−Ｙ側の端部から後方に（即ち、Ｘ方向において本体部３０２と平行に）延びており、ロック部３０８を弾性的に支持している。バネ部３０６及びロック部３０８は、Ｚ方向において本体部３０２よりも高い場所に位置している。ロック部３０８は、Ｚ方向に沿って見たとき、ハウジング１００の内側に向かって湾曲した形状に形成されている。詳しくは、ロック部３０８は、バネ部３０６からハウジング１００の内側に向かってＹ方向と斜交する方向に延びた後、ハウジング１００の外側に向かって延びており、ロック部３０８の先端部には被係止部３１０が形成されている。
【００４３】
図５に示されるように、バネ部３０６は、ハウジング１００の第１規制部１３６の上方を延びている。また、図１及び図５から理解されるように、バネ部３０６の上方はカバー４００によって塞がれている。従って、ロック部３０８は、実質的にＸ方向のみに変位することができる。
【００４４】
図５及び図１２から理解されるように、ロック部３０８は、イジェクトバー３００の＋Ｙ方向に沿った移動に伴って、＋Ｙ方向に沿って図１２において実線で示される位置（ロック位置）から破線で示される位置（アンロック位置）まで移動する。ロック部３０８は、作用点部２０９が収容位置に位置しているときにロック位置に位置する一方、作用点部２０９が排出位置に位置しているときにアンロック位置に位置している。
【００４５】
図１２及び図１７から理解されるように、ロック部３０８がアンロック位置に位置しているとき、本体部３０２は、第１仮保持部１３４によってハウジング１００の内側に押されて変形する。このため、本体部３０２と第１仮保持部１３４との間の摩擦力によって、イジェクトバー３００が仮保持される。換言すれば、本実施の形態によるコネクタ１０は、ロック部３０８がアンロック位置に位置しているときイジェクトバー３００の−Ｙ方向への移動を妨げるようにイジェクトバー３００を保持し、これによってロック部３０８をアンロック位置に維持する第１仮保持部１３４を備えている。
【００４６】
図３、図５、図９及び図１０に示されるように、覆い部３１６は、被押圧部３１４の前方に設けられており、第１スイッチ１３８の上方と側部の一方とを覆っている。
【００４７】
図９及び図１０に示されるように、被押圧部３１４の下端には、変形防止部３２０が設けられている。変形防止部３２０は、被押圧部３１４のＸ方向における中間部分から＋Ｙ方向に突出しており、且つ、Ｘ方向において本体部３０２に向かって延びている。被押圧部３１４が＋Ｙ方向に過度に押圧された際に、変形防止部３２０と本体部３０２とが当接することでイジェクトバー３００の変形が防止される。なお、本実施の形態においては、変形防止部３２０と本体部３０２とはＸ方向において間隔をあけているが、変形防止部３２０が本体部３０２と接触していてもよい。
【００４８】
図１、図３及び図１１に示されるように、本実施の形態によるカバー４００は、ハウジング１００、イジェクトレバー２００及びイジェクトバー３００の上方からハウジング１００に取り付けられている。カバー４００は、Ｘ方向及びＹ方向の双方に延びており、Ｙ方向における両端に前端４００ｆと後端４００ｒとを有している。詳しくは、カバー４００は、ＸＹ平面上を延びる矩形状の上面４０２と、上面４０２の後端４００ｒ近傍から下方に折り曲げられた後面４０４と、上面４０２の両側部から下方に折り曲げられた第１側面４０６及び第２側面４０８とを備えており、下方及び前端４００ｆに向かって開口した箱形形状を有している。後面４０４、第１側面４０６及び第２側面４０８は、ハウジング１００の周囲を覆うようにしてハウジング１００に取り付けられている。
【００４９】
カバー４００の上面４０２には、上面４０２の一部を切欠いて下方に折り曲げることにより、係合突起４１０と、２つの第２規制部４１６と、ストッパ４２０とが形成されている。また、カバー４００の上面４０２には、保持孔４１２と、保持孔４１２の近傍に位置する孔４１４とが設けられている。
【００５０】
係合突起４１０は、ハウジング１００の軸部１０６の係合凹部１０７と対応する形状に形成されている。係合突起４１０は、係合凹部１０７に嵌入されており、これによってイジェクトレバー２００の抜け落ちが防止されている。
【００５１】
図１及び図３から理解されるように、第２規制部４１６は、Ｘ方向においてイジェクトバー３００のバネ部３０６及び動作部３１２の内側に位置しており、バネ部３０６及び動作部３１２の−Ｘ方向の移動を規制している。
【００５２】
図１１、図１２及び図１４に示されるように、ストッパ４２０は、Ｘ方向においてカバー４００の第２側面４０８の近傍に形成されており、Ｚ方向においてイジェクトバー３００の本体部３０２の上方に位置している。ストッパ４２０は、上面４０２から後端４００ｒに向かいつつ下方に延びており、先端部が切欠かれて係止部４２２が形成されている。
【００５３】
図１２及び図１４に示されるように、ロック部３０８がロック位置に位置しているとき、ロック部３０８の被係止部３１０は、Ｙ方向において、ストッパ４２０の係止部４２２と同じ位置に位置している。一方、ロック部３０８がアンロック位置に位置しているとき、被係止部３１０は、＋Ｙ方向に移動しており、Ｙ方向において後端１０ｒと係止部４２２との間に位置している。換言すれば、ストッパ４２０は、ロック部３０８がロック位置に位置しているときには、Ｘ方向において、ロック部３０８の被係止部３１０と対向しており、ロック部３０８がアンロック位置に位置しているときには、＋Ｙ方向においてロック部３０８よりも手前側に位置している。
【００５４】
図１及び図１２から理解されるように、保持孔４１２と孔４１４とは、第２仮保持部２１２を仮保持するように構成されている。より具体的には、イジェクトレバー２００の作用点部２０９が収容位置にあるとき（図１２参照）、第２仮保持部２１２は、保持孔４１２内に突出しており、これにより収容位置にあるイジェクトレバー２００の意図しない回動が防止されている。また、作用点部２０９が排出位置にあるとき（図１２の破線参照）、第２仮保持部２１２は、孔４１４内に突出している。
【００５５】
図１２に示されるように、以上のように構成されたコネクタ１０にトレイ８００が挿入された挿入状態において、ロック部３０８はロック位置に位置している。このとき、ロック部３０８の一部はトレイ８００の凹部８２２の内側に位置している。また、挿入状態において、ロック部３０８は、Ｙ方向において凹部８２２の壁（排出防止部）８２３とコネクタ１０の前端１０ｆとの間に位置している。換言すれば、挿入状態において、ロック部３０８は、壁８２３よりも＋Ｙ方向における手前側に位置している。
【００５６】
なお、図６及び図７から理解されるように、挿入状態においては、トレイ８００により第２の部位が押されて第１の部位から離れるため、第２スイッチ１４０はオフ状態になっており、これによって、トレイ８００が収容部１２に収容されたことを検知することができる。
【００５７】
図１６及び図１９に示されるように、挿入状態において、トレイ８００を−Ｙ方向に移動させると、ロック部３０８と壁８２３とが当接する。壁８２３と当接したロック部３０８は、＋Ｘ方向に移動し、ロック部３０８と壁８２３との当接を維持したまま、ロック部３０８の被係止部３１０がストッパ４２０の係止部４２２と係止する。これによってトレイ８００の排出が防止される。
【００５８】
図１７に示されるように、挿入状態において、ピン７００をガイド孔８１４に挿入して、イジェクトバー３００の被押圧部３１４をピン７００で押すと、イジェクトバー３００は、＋Ｙ方向に沿って移動する。イジェクトバー３００の移動に伴ってロック部３０８がアンロック位置に向かって移動すると共に、作用点部２０９が収容位置から排出位置に向かって移動することでトレイ８００を−Ｙ方向に押圧して移動させる。このとき、ロック部３０８は、壁８２３と当接するがストッパ４２０と係止することなく＋Ｘ方向に移動し、これによってトレイ８００が排出される。
【００５９】
図１及び図１２から理解されるように、作用点部２０９が排出位置に移動したときに、第２仮保持部２１２は、カバー４００の上面４０２の下を潜り抜け、孔４１４から上方に突出する。このとき操作者はクリック感を得ることができ、これによってトレイ８００が排出されたことを知ることができる。
【００６０】
図１２から理解されるように、イジェクトバー３００が＋Ｙ方向に所定距離（Ｄ）だけ移動すると、トレイ８００は、−Ｙ方向に所定距離（Ｄ）移動する。従って、図１４から理解されるように、壁８２３と当接したロック部３０８が＋Ｘ方向に変位した際に、被係止部３１０が係止部４２２と係止しないようにするためには、ロック部３０８が壁８２３と当接する前に、ロック部３０８の被係止部３１０がストッパ４２０の係止部４２２を超えて移動している必要がある。このように構成するためには、挿入状態においてロック部３０８がロック位置に位置しているとき、＋Ｙ方向における壁８２３とロック部３０８との間の距離（Ｄ２）は、＋Ｙ方向におけるストッパ４２０とロック部３０８との間の距離（Ｄ１）より大きくする必要がある。即ち、Ｄ２＞Ｄ１である。更に、本実施の形態においては、上述したように被係止部３１０と壁８２３とが互いに近づくようにして同じ距離だけ移動するため、Ｄ２はＤ１の２倍以上とする必要がある。即ち、Ｄ２の下限値は、２×Ｄ１である。なお、Ｄ２の上限値について特段の制約はない。但し、壁８２３とロック部３０８との間の距離を大きくしすぎると、トレイ８００を無理抜きしようとしたときにトレイ８００が大きく移動する。従って、Ｄ２の値が２×Ｄ１を大きく超えないようにする方が好ましい。
【００６１】
なお、図６及び図１７から理解されるように、ピン７００が被押圧部３１４を押しているとき、第１スイッチ１３８の可動部１３８ｍは、ピン７００と当接して−Ｘ方向に変位し、固定部１３８ｓと接触する。これによって第１スイッチ１３８はオン状態になり、排出操作が開始されたことを検知することができる。
【００６２】
図１２及び図１７から理解されるように、トレイ８００が排出されたとき、イジェクトバー３００は、第１仮保持部１３４によって押し込んだ位置に仮保持される。このときロック部３０８は、アンロック位置に維持される。従って、トレイ８００をコネクタ１０に再び挿入すると、トレイ８００と当接したロック部３０８がストッパ４２０に係止することなく＋Ｘ方向に変位し、トレイ８００はコネクタ１０に挿入される。また、作用点部２０９は、トレイ８００に押されて排出位置から収容位置に戻り、被操作部２１０は、−Ｙ方向に移動する。このとき、イジェクトバー３００の第１押圧面３１２ａが力点部２１１に押され（図１３参照）、イジェクトバー３００は−Ｙ方向に移動し、これによって、ロック部３０８がアンロック位置からロック位置に移動する。
【００６３】
図１及び図１２から理解されるように、作用点部２０９が収容位置に移動したときに、第２仮保持部２１２は、カバー４００の上面４０２の下を潜り抜け、保持孔４１２から上方に突出する。このとき操作者はクリック感を得ることができ、これによってトレイ８００が収容されたことを知ることができる。
【００６４】
なお、図１２及び図１３から理解されるように、トレイ８００が排出されてロック部３０８がアンロック位置にあるとき、イジェクトバー３００を−Ｙ方向に引くと、イジェクトレバー２００の被操作部２１０が第２押圧面３１２ｂに押されて−Ｙ方向に移動し、これによって作用点部２０９が収容位置に移動する。このとき、ロック部３０８はロック位置に移動するためトレイ８００を挿入することができなくなる。この場合、イジェクトバー３００を＋Ｙ方向に押すことによって、ロック部３０８をアンロック位置に移動させることができる。
【００６５】
図１４に示されているように、本実施の形態においては、ロック部３０８がロック位置にあるとき、被係止部３１０と係止部４２２との間にはわずかな間隙が設けられている。しかしながら、ロック部３０８がロック位置にあるとき、被係止部３１０と係止部４２２とは接触していてもよい。また、ロック部３０８とイジェクトバー３００とを別部材によって形成することも可能である。
【００６６】
本実施の形態においては、イジェクトバー等はコネクタの＋Ｘ側に配置されているが、コネクタの両側部のうちの一方に配置されていればよい。但し、コネクタのＸ方向におけるサイズを縮小するためには、本実施の形態のように、コンタクトが設けられていない側にイジェクトバー等を配置する方が好ましい。
【００６７】
本実施の形態による排出防止部は、トレイに形成された凹部の奥側の壁であるが、排出防止部は別の部位であってもよい。例えば、排出防止部をトレイの側部から突出させて形成することも可能である。但し、Ｘ方向におけるコネクタの幅を小さくするためには、本実施の形態のように構成することが好ましい。
【００６８】
本実施の形態によるロック部は、イジェクトバーと一体形成されているが、イジェクトレバーの方と一体形成しても良い。この場合には、被操作部の近傍で第２腕部側からバネ部を−Ｙ方向に延びるように形成すれば良い。但し、製造のし易さを考慮すると、本実施の形態のように構成することが好ましい。
【００６９】
本実施の形態による排出対象物はトレイであるが、本発明は、例えばカードに凹部（トレイの凹部参照）が形成されていれば、カードがトレイに搭載されず直接挿入されるコネクタに適用することも可能である。この場合には、トレイの前壁や筒部の構成は不要となる。換言すれば、排出対象物はトレイに限定されず、カード等であってもよい。
【符号の説明】
【００７０】
１０        コネクタ
１０ｆ      前端
１０ｒ      後端
１２        収容部
１４        開口
１００      ハウジング
１００ｆ    前端
１００ｒ    後端
１０２      底板部
１０４      後壁
１０６      軸部
１０７      係合凹部
１０８      窪み
１１０      コンタクト
１２０      第１側板
１３０      第２側板
１３２      ガイド部
１３３      ガイド溝
１３４      第１仮保持部（仮保持部）
１３６      第１規制部
１３８      第１スイッチ
１３８ｓ    固定部
１３８ｍ    可動部
１４０      第２スイッチ
２００      イジェクトレバー
２０２      軸受孔（支点部）
２０４      第１腕部
２０６      第２腕部
２０８      押圧部
２０９      作用点部
２１０      被操作部
２１１      力点部
２１２      第２仮保持部（仮保持部）
３００      イジェクトバー
３０２      本体部
３０６      バネ部
３０８      ロック部
３１０      被係止部
３１２      動作部
３１２ａ    第１押圧面
３１２ｂ    第２押圧面
３１４      被押圧部
３１６      覆い部
３２０      変形防止部
４００      カバー
４００ｆ    前端
４００ｒ    後端
４０２      上面
４０４      後面
４０６      第１側面
４０８      第２側面
４１０      係合突起
４１２      保持孔
４１４      孔
４１６      第２規制部
４２０      ストッパ
４２２      係止部
７００      ピン
８００      トレイ（排出対象物）
８１０      前壁
８１２      筒部
８１４      ガイド孔
８２０      カード保持部
８２２      凹部
８２３      壁（排出防止部）
９００      カード
９１０      電極部
【図１】
0005433653.tif 000002
【図２】
0005433653.tif 000003
【図３】
0005433653.tif 000004
【図４】
0005433653.tif 000005
【図５】
0005433653.tif 000006
【図６】
0005433653.tif 000007
【図７】
0005433653.tif 000008
【図８】
0005433653.tif 000009
【図９】
0005433653.tif 000010
【図１０】
0005433653.tif 000011
【図１１】
0005433653.tif 000012
【図１２】
0005433653.tif 000013
【図１３】
0005433653.tif 000014
【図１４】
0005433653.tif 000015
【図１５】
0005433653.tif 000016
【図１６】
0005433653.tif 000017
【図１７】
0005433653.tif 000018
【図１８】
0005433653.tif 000019
【図１９】
0005433653.tif 000020
【図２０】
0005433653.tif 000021
【図２１】
0005433653.tif 000022
【図２２】
0005433653.tif 000023